(57)【要約】      （修正有）【課題】紙製の排泄物吸収用品にあった問題点を解消しながら、吸収した排泄物が漏れ出たり、逆流して肌を汚すことのない布製の排泄物吸収用品を提供する。【解決手段】排泄物を吸収するためのパッド２と、このパッド２をショーツのクロッチ部に取り付けるためのパッドホルダー３とからなり、パッド２を、肌に接する側から、ドライ層２ａ、吸収・消臭層及び防水層を備えた層構造体で構成し、パッドホルダー３を、パッド装着部４と、このパッド装着部４と一体構造としたショーツのクロッチ部に対する取着部５とで構成し、パッド装着部４を、パッド２より大きい相似形状に形成し、肌に接する側から、ドライ層４ａ、吸収・消臭層及び防水層を備えた層構造体で構成する。【選択図】図１
0003189603.tif 000002
【実用新案登録請求の範囲】
【請求項１】
排泄物を吸収するためのパッドと、該パッドをショーツのクロッチ部に取り付けるためのパッドホルダーとからなる排泄物吸収用品において、前記パッドを、肌に接する側から、ドライ層、吸収・消臭層及び防水層を備えた層構造体で構成し、前記パッドホルダーを、パッド装着部と、該パッド装着部と一体構造としたショーツのクロッチ部に対する取着部とで構成し、前記パッド装着部を、前記パッドより大きい相似形状に形成し、肌に接する側から、ドライ層、吸収・消臭層及び防水層を備えた層構造体で構成したことを特徴とする布製の排泄物吸収用品。
【請求項２】
前記パッド及びパッド装着部の縁部を、防水テープで縢るようにしたことを特徴とする請求項１記載の布製の排泄物吸収用品。
【請求項３】
前記パッド装着部及び取着部の両端部の周縁のみを縫着して一体構造としたことを特徴とする請求項１又は２記載の布製の排泄物吸収用品。
【請求項４】
前記パッド装着部の両端部に、パッド装着部のドライ層を構成する生地と同じ生地でポケットを形成し、該ポケットにパッドの両端部を差し込んで装着するようにしたことを特徴とする請求項１、２又は３記載の布製の排泄物吸収用品。
【考案の詳細な説明】
【技術分野】
【０００１】
本考案は、布製の排泄物吸収用品に関し、特に、尿や経血等の排泄物を吸収するために使用する布製の排泄物吸収用品に関するものである。
【背景技術】
【０００２】
従来、尿や経血等の排泄物を吸収するために使用する排泄物吸収用品として、紙製のものが広く普及し利用されている。
【０００３】
しかしながら、この紙製の排泄物吸収用品には、合成樹脂や高分子吸収剤等の「化学材料」が使用されているため、蒸れやすく、また、使用者によっては、かゆみや皮膚の炎症を生じることがあるという問題があった。
さらに、使用後は、焼却処理等されるため、環境に対する負荷が大きいという問題があった。
【０００４】
これらの問題点に鑑みて、古くから使用されていた布製の排泄物吸収用品を改良したものが提案され、実用化されている（例えば、特許文献１〜４参照。）。
【先行技術文献】
【特許文献】
【０００５】
【特許文献１】特開２００１−３５３１８２号公報
【特許文献２】特許第４１２４７５９号公報
【特許文献３】実用新案登録第３１５４５３２号公報
【特許文献４】実用新案登録第３１８１１５２号公報
【考案の概要】
【考案が解決しようとする課題】
【０００６】
上記この特許文献１〜４に係る排泄物吸収用品は、布製のため、従来の紙製の排泄物吸収用品にあった問題点を解消し、かつ、使用しやすいものであったが、排泄物の吸収量が多くなると、吸収した排泄物がショーツに漏れ出したり、逆流して肌を汚すという問題があった。
【０００７】
本考案は、上記従来の排泄物吸収用品の有する問題点に鑑み、従来の紙製の排泄物吸収用品にあった問題点を解消しながら、吸収した排泄物が漏れ出たり、逆流して肌を汚すことのない布製の排泄物吸収用品を提供することを目的とする。
【課題を解決するための手段】
【０００８】
上記目的を達成するため、本考案の布製の排泄物吸収用品は、排泄物を吸収するためのパッドと、該パッドをショーツのクロッチ部に取り付けるためのパッドホルダーとからなる排泄物吸収用品において、前記パッドを、肌に接する側から、ドライ層、吸収・消臭層及び防水層を備えた層構造体で構成し、前記パッドホルダーを、パッド装着部と、該パッド装着部と一体構造としたショーツのクロッチ部に対する取着部とで構成し、前記パッド装着部を、前記パッドより大きい相似形状に形成し、肌に接する側から、ドライ層、吸収・消臭層及び防水層を備えた層構造体で構成したことを特徴とする。
【０００９】
この場合において、前記パッド及びパッド装着部の縁部を、防水テープで縢るようにすることができる。
【００１０】
また、前記パッド装着部及び取着部の両端部の周縁のみを縫着して一体構造とすることができる。
【００１１】
また、前記パッド装着部の両端部に、パッド装着部のドライ層を構成する生地と同じ生地でポケットを形成し、該ポケットにパッドの両端部を差し込んで装着するようにすることができる。
【考案の効果】
【００１２】
本考案の布製の排泄物吸収用品によれば、パッドを、肌に接する側から、ドライ層、吸収・消臭層及び防水層を備えた層構造体で構成し、パッドホルダーを、パッド装着部と、該パッド装着部と一体構造としたショーツのクロッチ部に対する取着部とで構成し、パッド装着部を、パッドより大きい相似形状に形成し、肌に接する側から、ドライ層、吸収・消臭層及び防水層を備えた層構造体で構成することにより、蒸れにくく、また、使用者にかゆみや皮膚の炎症を生じることがなく、さらに、環境に対する負荷が小さいという布製の排泄物吸収用品の特性を享有しながら、排泄物の吸収量が多くなっても、吸収した排泄物が漏れ出たり、逆流して肌を汚すことを防止できる排泄物吸収用品を提供することができる。
特に、パッド装着部を、パッドより大きい相似形状に形成することによって、パッドで吸収しきれなかった排泄物をパッド装着部において吸収して、排泄物が漏れ出たり、逆流して肌を汚すことを確実に防止することができる。
【００１３】
また、パッド及びパッド装着部の縁部を、防水テープで縢るようにすることにより、パッド及びパッド装着部の縁部から、吸収した排泄物が漏れ出ることを確実に防止することができる。
【００１４】
また、パッド装着部及び取着部の両端部の周縁のみを縫着して一体構造とすることにより、ショーツのクロッチ部に対して取着部を取り付けた状態で、パッド装着部の中間部が取着部に拘束されることなくある程度自由に移動することができ、装着時の違和感を少なくすることができる。
【００１５】
また、パッド装着部の両端部に、パッド装着部のドライ層を構成する生地と同じ生地でポケットを形成し、該ポケットにパッドの両端部を差し込んで装着するようにすることにより、肌に接する面が、すべてドライ層で構成されるため、装着時の快適感を長時間に亘って維持することができるとともに、パッドの中間部がパッド装着部に拘束されることなくある程度自由に移動することができ、装着時の違和感を少なくすることができる。
【図面の簡単な説明】
【００１６】
【図１】本考案の布製の排泄物吸収用品の一実施の形態を示す平面図である。
【図２】同布製の排泄物吸収用品のパッドを示し、（ａ）は平面図、（ｂ）は（ａ）のＸ２−Ｘ２端面図、（ｃ）は（ａ）のＹ２−Ｙ２端面図である。
【図３】同布製の排泄物吸収用品のパッドホルダーを示し、（ａ）は平面図、（ｂ）は（ａ）のＸ３−Ｘ３端面図、（ｃ）は（ａ）のＹ３−Ｙ３端面図である。
【考案を実施するための形態】
【００１７】
次に、本考案による布製の排泄物吸収用品の具体的な実施の形態について、図面を参照しつつ説明する。
【００１８】
＜布製の排泄物吸収用品の概略説明＞
図１に示されるように、本実施形態に係る布製の排泄物吸収用品１は、排泄物を吸収するためのパッド２と、このパッド２をショーツのクロッチ部（図示省略）に取り付けるためのパッドホルダー３とからなり、パッド２を、肌に接する側から、ドライ層２ａ、吸収・消臭層２ｂ及び防水層２ｃを備えた層構造体で構成し、パッドホルダー３を、パッド装着部４と、このパッド装着部４と一体構造としたショーツのクロッチ部に対する取着部５とで構成し、パッド装着部４を、パッド２より大きい相似形状に形成し、肌に接する側から、ドライ層４ａ、吸収・消臭層４ｂ及び防水層４ｃを備えた層構造体で構成するようにしている。
【００１９】
＜パッドの説明＞
パッド２は、図２に示すように、略長円形（帯状）の平面形状をしている。
そして、肌に接する側から、ドライ層２ａ、吸収・消臭層２ｂ、防水層２ｃ及びデザイン層２ｄからなる層構造体で構成するようにしている（なお、各層は以下の機能を奏するために所定の厚みを有するものであるが、図面においては、線として記載している。以下、他の層についても同じ。）。
ドライ層２ａは、例えば、ポリエステル製繊維生地（より具体的には、東レ社製「フィールドセンサー」（登録商標））からなり、特に、一方向性透水性を備えることによって、吸収した排泄物を肌面から生地の内側へ速やかに移動させ、不快なべとつき感を軽減できる用にするとともに、その内側表面をミクロパイル仕上して、吸水・速乾性に優れるとともに、優しい肌触りを実現するようにしている。
吸収・消臭層２ｂは、吸水・吸湿・保水性機能に加え、アンモニア吸着機能を有する不織布が好適に用いられ、例えば、レーヨン、ポリエステル、吸水・吸湿性繊維（より具体的には、帝人社製「ベルオアシス」（登録商標））等の繊維素材（機能性繊維素材を含む。）を適宜に組み合わせることによって、吸水・吸湿・保水性に優れ、アンモニアに対する消臭性能を高め、臭いの発生・拡散を防ぐようにしている。
防水層２ｃは、屈曲性があり、不透水性のシート又はフィルムで、例えば、ポリウレタン製フィルム（又はシート）が用いられ、吸収・消臭層２ｂで吸収した排泄物を外部に漏らさないようにして、他部材への浸透を防ぐようにしている。
デザイン層２ｄは、製品としてのデザイン性を高めるとともに、防水層２ｃの保護機能を有するもので、柄や色彩を施した綿製繊維生地等、任意の生地を用いることができる。
【００２０】
また、パッド２は、縁部を、防水テープ２１で縢るようにしている。
防水テープ２１は、撥水・防水機能を有するもので、ポリエステル製繊維生地を好適に用いることができる。
これにより、パッド２の縁部から、吸収した排泄物が漏れ出ることを防止することができるようにしている。
【００２１】
＜パッドホルダーの説明＞
パッドホルダー３は、図３に示すように、パッド２より大きい相似形状の略長円形（帯状）の平面形状をしたパッド装着部４と、このパッド装着部４と一体構造とし、さらに、横方向に突出した一対のフラップ５１を備えたショーツのクロッチ部に対する取着部５とで構成するようにしている。
【００２２】
＜パッド装着部の説明＞
パッド装着部４は、肌に接する側から、ドライ層４ａ、吸収・消臭層４ｂ及び防水層４ｃからなる層構造体で構成するようにしている。
ドライ層４ａは、例えば、ポリエステル製繊維生地（より具体的には、東レ社製「フィールドセンサー」（登録商標））からなり、特に、一方向性透水性を備えることによって、吸収した排泄物を肌面から生地の内側へ速やかに移動させ、不快なべとつき感を軽減できる用にするとともに、その内側表面をミクロパイル仕上して、吸水・速乾性に優れるとともに、優しい肌触りを実現するようにしている。
吸収・消臭層４ｂは、吸水・吸湿・保水性機能に加え、アンモニア吸着機能を有する不織布が好適に用いられ、例えば、レーヨン、ポリエステル、吸水・吸湿性繊維（より具体的には、帝人社製「ベルオアシス」（登録商標））等の繊維素材（機能性繊維素材を含む。）を適宜に組み合わせることによって、吸水・吸湿・保水性に優れ、アンモニアに対する消臭性能を高め、臭いの発生・拡散を防ぐようにしている。
防水層４ｃは、屈曲性があり、不透水性のシート又はフィルムで、例えば、ポリウレタン製フィルム（又はシート）が用いられ、吸収・消臭層４ｂで吸収した排泄物を外部に漏らさないようにして、他部材への浸透を防ぐようにしている。
【００２３】
また、パッド装着部４は、縁部を、防水テープ４１で縢るようにしている。
防水テープ４１は、撥水・防水機能を有するもので、ポリエステル製繊維生地を好適に用いることができる。
これにより、パッド装着部４の縁部から、吸収した排泄物が漏れ出ることを防止することができるようにしている。
【００２４】
また、パッド装着部４の両端部には、パッド装着部４のドライ層４ａを構成する生地と同じ生地でポケット４２を形成し、このポケット４２にパッド２の両端部を差し込んで装着するようにしている。
これにより、肌に接する面が、すべてドライ層で構成されるため、装着時の快適感を長時間に亘って維持することができるとともに、パッド２の中間部がパッド装着部４に拘束されることなくある程度自由に移動することができ、装着時の違和感を少なくすることができる。
【００２５】
＜取着部の説明＞
取着部５は、製品としてのデザイン性を高めるとともに、パッド装着部４の防水層４ｃの保護機能を有するもので、柄や色彩を施した綿製繊維生地等、任意の生地を用いることができる。
取着部５は、ショーツのクロッチ部を抱持して取着できるように横方向に突出した一対のフラップ５１を備え、各フラップ５１の先端部に留め具５２、５３、５４を配設するようにしている。ここで、留め具５２は、留め具５３、５４のいずれかと組み合わせて留めることでショーツのクロッチ部の幅に柔軟に対応することができるようにしている。
【００２６】
また、取着部５は、パッド装着部４の両端部の周縁のみを縫着して一体構造とするようにしている。
これにより、ショーツのクロッチ部に対して取着部５を取り付けた状態で、パッド装着部４の中間部が取着部５に拘束されることなくある程度自由に移動することができ、装着時の違和感を少なくすることができる。
【００２７】
＜作用効果の説明＞
以上に述べたように構成される布製の排泄物吸収用品１は、パッド２を、肌に接する側から、ドライ層２ａ、吸収・消臭層２ｂ及び防水層２ｃを備えた層構造体で構成し、パッドホルダー３を、パッド装着部４と、このパッド装着部４と一体構造としたショーツのクロッチ部に対する取着部５とで構成し、パッド装着部４を、パッドより大きい相似形状に形成し、肌に接する側から、ドライ層４ａ、吸収・消臭層４ｂ及び防水層４ｃを備えた層構造体で構成することにより、蒸れにくく、また、使用者にかゆみや皮膚の炎症を生じることがなく、さらに、環境に対する負荷が小さいという布製の排泄物吸収用品の特性を享有しながら、排泄物の吸収量が多くなっても、吸収した排泄物が漏れ出たり、逆流して肌を汚すことを防止できる排泄物吸収用品を提供することができる。
特に、パッド装着部４を、パッド２より大きい相似形状に形成することによって、パッド２で吸収しきれなかった排泄物をパッド装着部４において吸収して、排泄物が漏れ出たり、逆流して肌を汚すことを確実に防止することができる。
また、この布製の排泄物吸収用品１は、パッド装着部４の両方のポケット４２を内側に折り畳んだ状態で、各フラップ５１の先端部に配設した留め具５２を、留め具５３、５４のいずれかと組み合わせて留めることで、肌に触れる部分を内側に包み込むようにしてコンパクトな形状に畳むことができ、携帯性に優れている。
【００２８】
以上、本考案の布製の排泄物吸収用品について、その一実施形態に基づいて説明したが、本考案は上記実施形態に記載した構成に限定されるものではなく、その趣旨を逸脱しない範囲において適宜その構成を変更することができるものである。
【産業上の利用可能性】
【００２９】
本考案の布製の排泄物吸収用品は、紙製の排泄物吸収用品にあった問題点を解消しながら、吸収した排泄物が漏れ出たり、逆流して肌を汚すことのないという特性を有していることから、尿や経血等の排泄物を吸収するために使用する排泄物吸収用品の用途に広く用いることができる。
【符号の説明】
【００３０】
１  布製の排泄物吸収用品
２  パッド
２ａ  ドライ層
２ｂ  吸収・消臭層
２ｃ  防水層
２ｄ  デザイン層
２１  防水テープ
３  パッドホルダー
４  パッド装着部
４ａ  ドライ層
４ｂ  吸収・消臭層
４ｃ  防水層
４１  防水テープ
４２  ポケット
５  取着部
５１  フラップ
５２  留め具
５３  留め具
５４  留め具
【図１】
0003189603.tif 000003
【図２】
0003189603.tif 000004
【図３】
0003189603.tif 000005